(57)【要約】【課題】本発明は、天板の加工工数を低減することを目的としている。【解決手段】調理プレート３の下面より下方に位置する加熱調理器本体１７の側面にフランジ部５を設け、前記フランジ部５の水平面にネジ貫通穴６を設け、前記フランジ部５より天板２下面に木ネジ７にて加熱調理器本体１７を固定する。【選択図】図１
2006343071.tif 000002
【特許請求の範囲】
【請求項１】
加熱プレートの下面より下方に位置する加熱調理器本体ケースの側面に、一平面に貫通穴を有する略Ｌ字状のフランジ部の他平面を前記側面の取付面として、前記フランジ部を一体に固定すると共に、少なくとも前記一平面と天板の下面とを前記貫通穴を介して螺子止めにて密接固定係合することを特徴とする組み込み式加熱調理器。
【請求項２】
加熱調理器本体を固定するフランジ部は、加熱調理器本体とは別部材とし、加熱調理器本体と係合する前記他平面に長穴を設けたことを特徴とする請求項１記載の組み込み式加熱調理器。
【請求項３】
前記フランジ部の他平面である取付面には、長穴が設けられており、前記ケースの側面には、前記長穴に対応した位置にネジ穴が各設されていることを特徴とする請求項１及び２記載の組み込み式加熱調理器。
【発明の詳細な説明】
【技術分野】
【０００１】
本発明は、組み込み式加熱調理器の取付固定構造に関するものである。
【背景技術】
【０００２】
昨今飲食店等の客席用テーブルにおいて鍋物等を行なう場合、安全性の面から、ガスコンロに変わり組み込み式誘導加熱調理器等を組み込むものが増えてきている。
【０００３】
図５は従来の誘導加熱調理器の取り付け例を示すもので、誘導加熱調理器は、セラミック等により構成された調理プレート３の下部に誘導加熱コイル８、回路装置９等を配し、また前記回路装置９を冷却するための冷却ファン１０を収納した本体ケース１１で構成されている。
【０００４】
ところで客席用テーブル１において、組み込み式誘導加熱調理器を使用する利点として、安全面の他に、調理プレート３と天板２上面を同一面にすることで、加熱調理を行なわない時は、調理プレート３の上にも皿等をのせることができテーブルとしての役割も果たすことができる。
【０００５】
調理プレート３と天板２上面を同一面にする方法として、下記の特許文献１のように調理プレート３とその枠を本体ケース１１より大きいフランジ型とし、一方天板２は、本体ケース１１よりやや大きめの開口部４と更に前記開口部４の周囲に調理プレート３よりやや大きな掘り込み加工を行なっていた。前記掘り込み加工の段差は、調理プレート３とその枠からなるフランジ部の厚みと同じにしてある。
【０００６】
加熱調理器本体１７は、天板２の開口部４周囲の段差部に前記フランジ部をのせて周囲をシリコンコーティング剤等で接着され固定される。
【０００７】
前記の様に、天板２の加工は、単に開口部４を設けることだけではなく、開口部４の周囲に調理プレート３よりやや大きな掘り込み加工を行なう必要があり、しかもその掘り込みの深さが前記フランジ部の厚みと同じになるように厳密に調節しなければならなかった。
【０００８】
【特許文献１】実開昭５５−１１４１９４号のマイクロフィルム
【発明の開示】
【発明が解決しようとする課題】
【０００９】
本発明は、以上のような問題を解決するためになされたものであり、天板の加工工数を低減できる組み込み式加熱調理器を提供することを目的としている。
【課題を解決するための手段】
【００１０】
本発明に係る組み込み式加熱調理器は、上述した目的を達成するため、加熱プレートの下面より下方に位置する加熱調理器本体ケースの側面に、一平面に貫通穴を有する略Ｌ字状のフランジ部の他平面を前記側面の取付面として、前記フランジ部を一体に固定すると共に、少なくとも前記一平面と天板の下面とを前記貫通穴を介して螺子止めにて密接固定係合することを特徴とする。
【００１１】
また、加熱調理器本体を固定するフランジ部は、加熱調理器本体とは別部材とし、加熱調理器本体と係合する前記他平面に長穴を設けたことを特徴とする。
【００１２】
更に、前記フランジ部の他平面である取付面には、長穴が設けられており、前記ケースの側面には、前記長穴に対応した位置にネジ穴が各設されていることを特徴とするものである。
【発明の効果】
【００１３】
本発明に係る組み込み式加熱調理器によれば、以下のような効果が得られる。
【００１４】
（ア）天板の加工は、本体の開口部とともに、開口部の周囲に調理プレートよりやや大きな掘り込み加工を行なう必要がなく、調理プレートよりやや大きな開口部を開ければよく、従来のように、開口部の切り込み深さ精度を厳密にする必要がなく、天板加工の工数が大幅に低減できる。
【００１５】
（イ）第２の実施例により、厚みの異なる天板においても、調理プレートと天板上面を同一面にすることが容易にできる。
【発明を実施するための最良の形態】
【００１６】
以下、本発明を実施するための最良の形態について、添付した図面を参照しながら詳細に説明する。
なお、本実施例では誘導加熱調理器としているが、加熱源は調理プレートの下にニクロム線を設けたラジエントヒータでも良い。
【００１７】
図１は、客席用テーブル１に組み込まれた誘導加熱調理器の取り付け形態の一例で、天板２に調理プレート３よりやや大きな開口部４を設け、誘導加熱調理器本体１７は、（前記本発明の一つは、）前記開口部４に下側からはめ込まれている。加熱調理器本体１７側面には、略Ｌ字状のフランジ部５が形成され、このフランジ部５の一平面５ａにネジ貫通穴６が設けてあり、前記一平面５ａから天板２の下面２ａに前記ネジ貫通穴６を介して木ネジ７にて前記一平面５ａと前記下面２ａを密着して止めて加熱調理器本体１７を固定してある。
前記フランジ部５の一平面５ａは、調理プレート３の上面３ａより天板２の厚み分下がった位置に設けられており、木ネジ７で固定される事によって、調理プレート３の上面３ａと客席用テーブル１の天板２の上面２ｂを略同一面とする事ができる。また調理プレート３と開口部４の縁はシリコン系の接着剤にて隙間を塞ぐとよい。
【００１８】
図２は、本発明の組み込み式誘導加熱調理器の断面図で、調理プレート３の下部には、誘導加熱コイル８、回路装置９等を配し、また前記回路装置９を冷却するための冷却ファン１０を収納したケース１１が設けられている。
前記ケース１１の側面には、フランジ部５が係合されており前記フランジ部５の一平面５ａには、ネジ貫通穴６が設けられている。
調理プレート３の上面３ａとフランジ部５の一平面５ａの高さＡは天板２の厚みと同じとしている。
【００１９】
図３は、第２の実施例の斜視図、図４は第２の実施例によるフランジ部５を本体ケース１１に取り付けた組み込み式誘導加熱調理器の断面図である。
フランジ部５の他平面５ｂであるケース取り付け面には、長穴１２が設けられており、ケース１１側面には、前記長穴１２に対応した位置にネジ穴１３が設けられている。
前記長穴１２にネジ１４を挿入し、固定位置を可変する事で、調理プレート３の上面３ａとフランジ部５の一平面５ａの高さＡを調節する事が可能となる。
使用するネジ１４には、バネ座金１５及び座金１６を用いることで緩み防止を行なうのが望ましい。
【００２０】
このようにして調理プレート３の下面より下方に位置する加熱調理器本体１７の側面にフランジ部５を設け、前記フランジ部５の一平面５ａにネジ貫通穴６を設け、前記フランジ部５より天板２の下面２ａに木ネジ７にて加熱調理器本体１７を固定することで、従来のように天板２に段差加工を必要とせず天板加工の工数を大幅に低減することができる。
【図面の簡単な説明】
【００２１】
【図１】本発明の加熱調理器取り付け図。
【図２】本発明の誘導加熱調理器実施例の断面図。
【図３】本発明の第２の実施例の斜視図。
【図４】本発明の第２の実施例の断面図。
【図５】従来の加熱調理器取り付け図。
【符号の説明】
【００２２】
１    客席用テーブル
２    天板
３    調理プレート
４    開口部
５    フランジ部
６    ネジ貫通穴
７    木ネジ
８    誘導加熱コイル
９    回路装置
１０    冷却ファン
１１    本体ケース
１２    長穴
１３    ネジ穴
１４    ネジ
１５    バネ座金
１６    座金
１７    加熱調理器本体
【図１】
2006343071.tif 000003
【図２】
2006343071.tif 000004
【図３】
2006343071.tif 000005
【図４】
2006343071.tif 000006
【図５】
2006343071.tif 000007